(57)【要約】自動分析装置の分注プローブの位置調整の煩わしさをなくすための自動調整機能において、従来は分注プローブを基準物体に接触させる、または分注プローブを検知する機構を用いて位置を検知することにより位置調整を行っていたため、複雑な機構を要し、かつ、分注プローブの変形や先端の傷、汚れ等を発生する恐れがあった。  反応容器を保持可能な保持部と、光を照射する光源、光源から照射される光を検出する検出部を有する分析ユニットにおいて、分注位置に対して分注プローブを移動し、分注プローブが移動している間、光源から照射された光を検出部により検出する。検出部に検出された光と、分注機構の位置との関係を記憶部に記憶し、記憶された関係に基づいて、分注プローブの位置を調整する。
2017043192.tif 000002
【特許請求の範囲】
【請求項１】
サンプルと試薬との混合液を収容できる反応容器と、
該反応容器に、前記サンプル、前記試薬を分注する分注機構と、
該混合液が収容された反応容器を保持する保持部と、該保持部に保持された反応容器に光を照射する光源と、当該光源から照射された光を検出する検出部と、からなる光学系を備えた分析ユニットと、
当該検出部によって検出される光に基づく情報を記憶する記憶部と、
当該分注機構の分注動作を制御する制御部と、を備え、
前記制御部は、
当該保持部に保持される反応容器における分注位置に対して前記分注機構を移動し、
当該分注機構が移動している間、前記光源から照射された光を前記検出部により検出し、
当該検出された光と、当該分注機構の位置との関係を前記記憶部に記憶し、当該記憶される関係に基づいて、前記分注機構の位置を調整するように、前記分注機構を制御することを特徴とする自動分析装置。
【請求項２】
請求項１に記載された自動分析装置において、
当該検出部は、前記光源から照射される光に基づく散乱光を検出し、
前記制御部は、
当該記憶部に記憶される、前記検出部によって検出された散乱光と、前記分注機構の位置との関係に基づいて、
当該分注機構が移動している間に検出される光の量が最も大きくなるときの前記分注機構の位置を基準位置として前記記憶部に記憶し、
当該記憶された基準位置に基づいて、前記分注機構の位置を調整するように、前記分注機構を制御することを特徴とする自動分析装置。
【請求項３】
請求項２に記載された自動分析装置において、
前記光源は、前記保持部の下方から光を照射するように配置され、
前記検出部は、前記保持部の側面において前記散乱光を検出するように配置されていることを特徴とする自動分析装置。
【請求項４】
請求項２に記載された自動分析装置において、
前記検出部は、前記光源によって照射される光の光軸に対して垂直となるように配置されていることを特徴とする自動分析装置。
【請求項５】
請求項１に記載された自動分析装置において、
当該検出部は、前記光源から照射される光に基づく透過光を検出し、
前記光源と、前記検出部とは、前記保持部において対向するように配置され、
前記制御部は、
当該記憶部に記憶される、前記検出部によって検出された透過光と、前記分注機構の位置との関係に基づいて、
当該分注機構が移動している間に検出される光の量が最も小さくなるときの前記分注機構の位置を基準位置として記憶する記憶部を備えることを特徴とする自動分析装置。
【請求項６】
請求項１に記載された自動分析装置において、
前記制御部は、
当該分注機構が、前記保持部に対する高さを変えるように移動している間、前記光源から照射された光を前記検出部により検出し、当該検出された光の強度と、当該分注機構の高さとの関係を前記記憶部に記憶し、
当該記憶された関係に基づいて、前記分注機構の高さを調整するように前記分注機構を制御したのちに、
当該調整された高さにおける、当該分注機構の前記保持部に対する位置を変えるように移動している間、前記光源から照射された光を前記検出部により検出し、当該検出された光の強度と、当該分注機構の前記高さにおける位置との関係を前記記憶部に記憶し、
当該記憶された関係に基づいて、前記分注機構の前記高さにおける位置を調整するように前記分注機構を制御することを特徴とする自動分析装置。
【請求項７】
請求項１に記載された自動分析装置において、
前記制御部は、
当該記憶部に記憶される関係に基づいて、前記分注機構の位置に関する調整値を求め、
当該保持部に保持される反応容器における分注位置に対する分注機構の移動、及び、当該分注機構が移動している間に前記検出部に検出された光と当該分注機構の位置との関係の前記記憶部への記憶を、
当該調整値が同じ値となるまで複数回繰り返すことを特徴とする自動分析装置。
【請求項８】
請求項１に記載された自動分析装置において、
前記分注機構は、前記光源から照射された光を反射する材料からなる反射材を備え、
前記検出部は、当該光源から照射され、前記反射材によって反射された光を検出することを特徴とする自動分析装置。
【請求項９】
請求項８に記載された自動分析装置において、
前記保持部には、固体散乱体または光を散乱する液体を収容する反応容器が設置され、
前記制御部は、
当該分注機構が移動している間、前記光源から照射され、前記反射材によって反射された光を前記検出部により検出し、
当該検出された光と、当該分注機構の位置との関係を前記記憶部に記憶し、当該記憶される関係に基づいて、前記分注機構の位置を調整するように、前記分注機構を制御することを特徴とする自動分析装置
【請求項１０】
請求項８に記載された自動分析装置において、
前記保持部には、固体散乱体または光を散乱する液体を収容する反応容器が設置され、
前記検出部は、当該光源から照射され、前記反射材によって反射された光が、当該保持部に設置された固体散乱体または当該反応容器に収容される液体によって散乱することによって生じた光を検出することを特徴とする自動分析装置。
【請求項１１】
請求項１０に記載された自動分析装置において、
前記制御部は、
当該分注機構が移動している間、前記光源から照射され、前記反射材によって反射された光が、当該保持部に保持された固体散乱体または当該反応容器に収容される液体によって散乱することによって生じた光を前記検出器により検出し、
当該検出された光と、当該分注機構の位置との関係を前記記憶部に記憶し、当該記憶される関係に基づいて、前記分注機構の位置を調整するように、前記分注機構を制御することを特徴とする自動分析装置。
【請求項１２】
請求項１に記載された自動分析装置において、
さらに、前記分注機構との接触により前記分注機構を検知するセンサを備え、
前記センサによって検知された情報と、
当該記憶される関係と、に基づいて、前記分注機構の位置を調整するように、前記分注機構を制御することを特徴とする自動分析装置。
【請求項１３】
請求項１２に記載された自動分析装置において、
前記制御部は、
当該分注機構が、前記保持部に対する高さを変えるように移動している間、前記光源から照射された光を前記検出部により検出し、当該検出された光の強度と、当該分注機構の高さとの関係を前記記憶部に記憶し、
当該記憶された関係と、前記センサによって検知された情報と、に基づいて、前記分注機構の高さを調整するように前記分注機構を制御したのちに、
当該調整された高さにおける、当該分注機構の前記保持部に対する位置を変えるように移動している間、前記光源から照射された光を前記検出部により検出し、当該検出された光の強度と、当該分注機構の前記高さにおける位置との関係を前記記憶部に記憶し、
当該記憶された関係に基づいて、前記分注機構の前記高さにおける位置を調整するように前記分注機構を制御することを特徴とする自動分析装置。
【請求項１４】
サンプルと試薬との混合液を収容できる反応容器と、
該反応容器に、前記サンプル、前記試薬を分注する分注機構と、
該混合液が収容された反応容器を保持する保持部と、該保持部に保持された反応容器に光を照射する光源と、当該光源から照射された光を検出する検出部と、からなる光学系を備えた分析ユニットと、
当該検出部によって検出される光に基づく情報を記憶する記憶部と、
当該分注機構の分注動作を制御する制御部と、を備えた自動分析装置の分析方法であって、
前記制御部は、
当該保持部に保持される反応容器における分注位置に対して前記分注機構を移動し、
当該分注機構が移動している間、前記光源から照射された光を前記検出部により検出し、
当該検出された光と、当該分注機構の位置との関係を前記記憶部に記憶し、当該記憶される関係に基づいて、前記分注機構の位置を調整するように、前記分注機構を制御することを特徴とする分析方法。
【請求項１５】
サンプルと試薬との混合液を収容できる反応容器と、
該反応容器に、前記サンプル、前記試薬を分注する分注機構と、
該混合液が収容された反応容器を保持する保持部と、該保持部に保持された反応容器に光を照射する光源と、当該光源から照射された光を検出する検出部と、からなる光学系を備えた分析装置と、
当該検出部によって検出される光に基づく情報を記憶する記憶部を備え、当該分注機構の分注動作を制御する制御装置と、を備え、
前記制御装置は、
当該保持部に保持される反応容器における分注位置に対して前記分注機構を移動し、
当該分注機構が移動している間、前記光源から照射された光を前記検出部により検出し、
当該検出された光と、当該分注機構の位置との関係を前記記憶部に記憶し、当該記憶される関係に基づいて、前記分注機構の位置を調整するように、前記分注機構を制御することを特徴とする自動分析システム。
【発明の詳細な説明】
【技術分野】
【０００１】
本発明は、血液や尿等の生体サンプルに含まれる成分を自動的に分析する自動分析装置に関し、特に、分析対象に対し光を照射する光源と、光源から照射された光を検出する検出器とから構成される分析ポートを備える自動分析装置に関する技術である。
【背景技術】
【０００２】
血液等のサンプルに含まれる成分を分析する装置として、光源からの光を、分析対象である、サンプルと試薬とを混合した反応液に照射して得られる単一または複数の波長の透過光や散乱光の光量を測定する自動分析装置が知られている。【０００３】
自動分析装置には、生化学検査や血液学検査の分野等で生体サンプル中の目的成分の定量、定性分析を行う生化学分析用の装置や、サンプルである血液の凝固能を測定する血液凝固分析用の装置等がある。【０００４】
いずれの分析でも、サンプルや試薬等の液体が収容された容器から液体を吸引し、反応容器に分注するプローブ（以下、単に分注プローブということがある）等を有する分注機構が用いられている。ここで、装置の性能を高く保つためには微量の液体であっても正確に分注する必要があるが、分注プローブの位置にずれが生じると、分注量の正確性が低下したり、サンプルまたは試薬の飛び散り等を引き起こす場合がある。【０００５】
特に、血液凝固自動分析装置のように、試薬の吐出の勢いを利用して、サンプルと試薬との攪拌を行う吐出攪拌においては、分注プローブの位置ずれは攪拌不良の要因にもなり、分析精度を低下させてしまうことがある。【０００６】
さらに、分注プローブは長期間の使用によって汚れの固着や詰まりが起きたり、接触や衝突により変形したりすることがある。そのような場合には分注プローブ交換や位置調整が必要となる。また、分注プローブ交換を行った場合にも、個体差などにより取付位置のずれを生じることがあり、吸引及び分注が正しく行えるように高精度な位置調整が求められる。【０００７】
分注プローブの停止位置を調整する技術に関し、特許文献１には、分注プローブの交換後、分注プローブを自動調整用の基準となる物体に向けて降下させ、接触を検知することで高さを算出し、降下させる位置をわずかに変化させながら接触の有無を確認することで水平方向の位置を算出する技術が記載されている。【０００８】
特許文献２には、分注プローブまたはピアサーの交換後、一定量の液体を分注した反応容器に向けて分注プローブまたはピアサーを降下させて、液面を検知することにより自動的に分注プローブまたはピアサーの高さを求める手法について説明されている。【０００９】
特許文献３には、検出器を用いて所定の位置を分注プローブが通過するタイミングを計測し、分注プローブが正しく調整されていて変形がない場合のタイミングと比較して移動量や分析結果の自動補正を行い、またタイミングのずれが許容量を超える場合に操作者へ異常を通知する技術が記載されている。
【先行技術文献】
【特許文献】
【００１０】
【特許文献１】特開２００１−９１５２２号公報
【特許文献２】特開２０１４−１２２８５２号公報
【特許文献３】特開２０１３−２１０３８８号公報
【発明の概要】
【発明が解決しようとする課題】
【００１１】
近年、特に自動分析装置では高精度な分析が求められており、かつ、サンプルや試薬の微量化が進んでいることから、分注プローブの位置ずれによる測定結果への影響はますます大きくなるといえる。【００１２】
しかしながら、特許文献１、２に記載された手法においては、分注プローブを基準物や液体に接触させることを前提としており、分注プローブの破損や傷、汚れ等の要因となり、これらは結果として測定精度にも影響を与え得る。【００１３】
また、特許文献３にて説明される構成においては、分注プローブを検出するための追加の検出手段が必要となり、装置構成が複雑となる。【００１４】
本発明は、上記課題に鑑み、複雑な構成を要することなく、かつ、分注プローブの破損や汚染といったダメージを防ぎながら、分注プローブの位置ずれを低減し、微量な測定対象に対しても高精度な分析を実現する装置、及び当該装置を用いる方法を提供することを目的とする。
【課題を解決するための手段】
【００１５】
上記課題を解決するための一態様として、本発明サンプルと試薬との混合液を収容できる反応容器と、該反応容器に、前記サンプル、前記試薬を分注する分注機構と、該混合液が収容された反応容器を保持する保持部と、該保持部に保持された反応容器に光を照射する光源と、当該光源から照射された光を検出する検出部と、からなる光学系を備えた分析ユニットと、当該検出部によって検出される光に基づく情報を記憶する記憶部と、当該分注機構の分注動作を制御する制御部と、を備え、前記制御部は、当該保持部に保持される反応容器における分注位置に対して前記分注機構を移動し、当該分注機構が移動している間、前記光源から照射された光を前記検出部により検出し、当該検出された光と、当該分注機構の位置との関係を前記記憶部に記憶し、当該記憶される関係に基づいて、前記分注機構の位置を調整するように、前記分注機構を制御することを特徴とする装置、及び当該装置を用いた分析方法を提供する。
【発明の効果】
【００１６】
上記一態様によれば、複雑な構成を要することなく、かつ分注プローブにダメージを与えずに分注プローブの位置ずれを防ぎ、微量な測定対象に対しても高精度な分析を実現することができる。
【図面の簡単な説明】
【００１７】
【図１】本実施の形態に係る自動分析装置の基本構成を示す図。
【図２】本実施の形態（第１の実施の形態）に係る自動分析装置における、分注プローブと光源と検出器の配置の構成を示す図。
【図３】本実施の形態（第１の実施の形態）に係る分注プローブの自動位置調整シーケンスの一例を示すフローチャート。
【図４】本実施の形態に係る分注プローブの高さ方向の移動量と検出器の受光量との関係の概略を示す図。
【図５】本実施の形態に係る分注プローブの水平方向の移動量と検出器の受光量との関係の概略を示す図。
【図６】本実施の形態（第２の実施の形態）に係る分注プローブの自動位置調整シーケンスの一例を示すフローチャート。
【図７】本実施の形態（第３の実施の形態）に係る分注プローブの自動位置調整シーケンスの一例を示すフローチャート。
【図８】本実施の形態（第４の実施の形態）に係る分注プローブの自動位置調整シーケンスの一例を示すフローチャート。
【図９】本実施の形態（第５の実施の形態）に係る自動分析装置における、分注プローブと光源と検出器の配置の構成を示す図である。
【図１０】本実施の形態（第５の実施の形態）に係る分注プローブの自動位置調整シーケンスの一例を示すフローチャート。
【図１１】本実施の形態（第５の実施の形態）に係る分注プローブの水平方向の移動量と検出器の受光量との関係の概略を示す図。
【図１２】本実施の形態（第６の実施の形態）に係る自動分析装置における、分注プローブと光源と検出器の配置の構成を示す図。
【図１３】本実施の形態（第６の実施の形態）に係る分注プローブの水平方向の移動量と検出器の受光量との関係の概略を示す図。
【図１４】本実施の形態（第７の実施の形態）に係る自動分析装置における、分注プローブと光源と検出器の配置の構成を示す図。
【図１５（ａ）】本実施の形態（第７の実施の形態）に係る分注プローブの自動位置調整シーケンスの一例を示すフローチャート。
【図１５（ｂ）】本実施の形態（第７の実施の形態）に係る分注プローブの自動位置調整シーケンスのその他の例を示すフローチャート。
【図１６】本実施の形態（第７の実施の形態）に係る分注プローブの高さ方向の移動量と検出器の受光量との関係の概略を示す図。
【図１７】本実施の形態（第７の実施の形態）に係る分注プローブの水平方向の移動量と検出器の受光量との関係の概略を示す図。
【発明を実施するための形態】
【００１８】
以下、本発明を実施するための形態について図面を用いて詳細に説明する。なお、全体を通して、各図における同一機能を有する各構成部分については原則として同一の符号を付すようにし、説明を省略することがある。
【第１の実施の形態】
【００１９】
<装置の基本構成について>
図１は、本実施の形態に係る自動分析装置の基本構成を示す図である。ここでは、自動分析装置の一態様として、ターンテーブル方式の生化学分析部と血液凝固時間分析ユニットとを備えた複合型の自動分析装置の例について説明する。
【００２０】
本図に示すように、自動分析装置１は、その筐体上に反応ディスク１３、サンプルディスク１１、第１試薬ディスク１５、第２試薬ディスク１６、血液凝固時間分析ユニット２、光度計１９が配置されている。
【００２１】
反応ディスク１３は、時計回り、反時計回りに回転自在なディスク状のユニットであって、反応容器２６をその円周上に複数個配置することができる。
【００２２】
サンプルディスク１１は、時計回り、反時計回りに回転自在なディスク状のユニットであって、標準サンプルや被検サンプル等のサンプルを収容するサンプル容器２７をその円周上に複数個配置することができる。
【００２３】
第１試薬ディスク１５、第２試薬ディスク１６は、時計回り、反時計回りに回転自在なディスク状のユニットであって、サンプルに含まれる各検査項目の成分と反応する成分を含有する試薬を収容する試薬容器をその円周上に複数後配置できる。また、本図には示していないが、第１試薬ディスク１５、第２試薬ディスク１６では、保冷機構等を備えることにより、配置された試薬容器内の試薬を保冷可能に構成することもできる。
【００２４】
サンプルディスク１１と反応ディスク１３の間にはサンプル分注プローブ１２が配置されており、サンプル分注プローブ１２の回転動作によってサンプルディスク１１上のサンプル容器２７、反応ディスク１３上の反応容器２６、及び血液凝固時間分析ユニット２のサンプル分注ポジション１８における反応容器２８においてサンプルの吸引および分注動作が可能なように配置されている。
【００２５】
同様に、第１試薬ディスク１６と反応ディスク１３の間には第１試薬分注プローブ１７が、第２試薬ディスク１５と反応ディスク１３の間には第２試薬分注プローブ１４が配置されており、それぞれ回転動作により反応ディスク１３上の反応容器２６と第１試薬ディスク１５、第２試薬ディスク１６上の試薬容器内の吸引、吐出といった分注動作が可能なように配置されている。
【００２６】
血液凝固時間分析ユニット２は、主として、血液凝固時間検出部２１、血液凝固試薬分注プローブ２０、使い捨て反応容器マガジン２５、サンプル分注ポジション１９、反応容器移送機構２３、反応容器廃棄口２４、光学ジグマガジン２２から構成される。ここで、血液凝固時間検出部２１の詳細な構成については図２を用いて後述する。
【００２７】
次に、自動分析装置１に係る制御系、及び信号処理系について簡単に説明する。コンピュータ１０５はインターフェース１０１を介して、サンプル分注制御部２０１、試薬分注制御部(１)２０６、試薬分注制御部(１)２０７、血液凝固試薬分注制御部２０４、Ａ/Ｄ変換器(１)２０５、Ａ/Ｄ変換器(２)２０３、移送機構制御部２０２に接続されており、各制御部に対して指令となる信号を送信する。
【００２８】
サンプル分注制御部２０１は、コンピュータ１０５から受けた指令に基づいて、サンプル分注プローブ１２によるサンプルの分注動作を制御する。
【００２９】
また、試薬分注制御部(１)２０６および試薬分注制御部(２)２０７は、コンピュータ１０５から受けた指令に基づいて、第１試薬分注プローブ１７、第２試薬分注プローブ１４による、試薬の分注動作を制御する。
【００３０】
また、移送機構制御部２０２は、コンピュータ１０５から受けた指令に基づいて、反応容器移送機構２３による、反応容器マガジン２５、サンプル分注ポジション１８、血液凝固時間検出部２１の反応ポート３０４、反応容器廃棄口２４の間における血液凝固分析用の使い捨ての反応容器２８の移送動作を制御する。
【００３１】
また、血液凝固試薬分注制御部２０４は、コンピュータ１０５から受けた指令に基づいて、反応ポート３０４に移載された、サンプル分注プローブ１２によって分注されたサンプルを収容する反応容器２８に対して、血液凝固試薬分注プローブ２０によって血液凝固用の試薬の分注を行う。あるいは、反応容器２６内で混合されたサンプルと血液凝固分析用の第１試薬との混合液である前処理液を、血液凝固試薬分注プローブ２０によって空の反応容器２８に対して分注する。この場合、その後前処理液を収容する反応容器２８に対して、血液凝固分析用の第２試薬の分注を行う。ここで、血液凝固分析用の試薬は第１試薬ディスク１５、第２試薬ディスク１６に配置されており、第１試薬分注プローブ１７、第２試薬分注プローブ１８によって、必要に応じて反応ディスク１３上の反応容器２６に一旦分注されたのち、血液凝固分析に用いられる。
【００３２】
Ａ／Ｄ変換器（１）２０５によってデジタル信号に変換された反応容器（生化学分析用）２６内の反応液の透過光または散乱光の測光値、およびＡ/Ｄ変換器（２）２０３によってデジタル信号に変換された使い捨ての反応容器（血液凝固分析用）２８内の反応液の透過光または散乱光の測光値は、コンピュータ１０５に取り込まれる。
【００３３】
インターフェース１０１には、測定結果をレポート等として出力する際に印字するためのプリンタ１０６、記憶装置であるメモリ１０４や外部出力メディア１０２、操作指令等を入力するためのキーボードなどの入力装置１０７、画面表示するための表示装置１０３が接続されている。表示装置１０３には、例えば液晶ディスプレイやＣＲＴディスプレイ等がある。
【００３４】
この自動分析装置１による生化学項目の分析は、次の手順で行われる。まず、操作者はキーボード等の入力装置１０７を用いて各サンプルに対し検査項目を依頼する。依頼された検査項目についてサンプルを分析するために、サンプル分注プローブ１２は分析パラメータに従ってサンプル容器２７から反応容器（生化学分析用）２６へ所定量のサンプルを分注する。
【００３５】
サンプルが分注された反応容器（生化学分析用）２６は、反応ディスク１３の回転によって移送され、試薬受け入れ位置に停止する。第１試薬分注プローブ１７、第２試薬分注プローブ１４のピペットノズルは、該当する検査項目の分析パラメータにしたがって、反応容器（生化学分析用）２６に所定量の試薬液を分注する。サンプルと試薬の分注順序は、この例とは逆に、サンプルより試薬が先であってもよい。
【００３６】
その後、図示しない攪拌機構により、サンプルと試薬との攪拌が行われ、混合される。この反応容器（生化学分析用）２６が、測光位置を横切る時、光度計により反応液の透過光または散乱光が測光される。測光された透過光または散乱光は、Ａ／Ｄ変換器（１）２０５により光量に比例した数値のデータに変換され、インターフェース１０１を経由して、コンピュータ１０５に取り込まれる。
【００３７】
この変換された数値を用い、検査項目毎に指定された分析法により予め測定しておいた検量線に基づき、濃度データが算出される。各検査項目の分析結果としての成分濃度データは、プリンタ１０６や表示装置１０３の画面に出力される。
【００３８】
以上の測定動作が実行される前に、操作者は、分析に必要な種々のパラメータの設定や試薬およびサンプルの登録を、表示装置１０３の操作画面を介して行う。また、操作者は、測定後の分析結果を表示装置１０３上の操作画面により確認する。
【００３９】
また、自動分析装置１による血液凝固時間項目の分析は、主に次の手順で行われる。
【００４０】
まず、操作者はキーボード等の情報入力装置１０７を用いて各サンプルに対し検査項目を依頼する。依頼された検査項目についてサンプルを分析するために、反応容器移送機構２３は使い捨ての反応容器（血液凝固分析用）２８を反応容器マガジン２５からサンプル分注ポジション１８へ移送する。サンプル分注プローブ１２は分析パラメータに従ってサンプル容器２７から反応容器（血液凝固分析用）２８へ所定量のサンプルを分注する。
【００４１】
サンプルが分注された反応容器（血液凝固分析用）２８は、反応容器移送機構２３によって血液凝固時間検出部２１の反応ポート３０１へ移送され、所定の温度へ昇温される。第１試薬分注プローブ１７は、該当する検査項目の分析パラメータにしたがって、反応ディスク１３上の反応容器（生化学分析用）２６に所定量の試薬液を分注する。反応ディスク１３には、図示しない恒温槽が設けられているため、反応容器（生化学分析）２６に分注された試薬液は３７℃に温められる。
【００４２】
その後、血液凝固分注機構２０は反応セル（生化学分析用）２６に分注されている試薬を吸引し、血液凝固試薬分注プローブ２０内で、図示しない昇温機構により所定の温度に昇温した後、反応容器（血液凝固分析用）２８に吐出する。
試薬が吐出された時点から、反応容器（血液凝固分析用）２８に照射された光の透過光または散乱光の測光が開始される。測光された透過光または散乱光は、Ａ／Ｄ変換器（２）２０３により光量に比例した数値のデータに変換され、インターフェース１０１を経由して、コンピュータ１０５に取り込まれる。
【００４３】
この変換された数値を用い、血液凝固反応に要した時間（以下、単に血液凝固時間ということがある）を求める。例えば、ＡＴＰＰ（活性化部分トロンボプラスチン時間）等の検査項目については、このようにして求めた血液凝固時間を分析結果として出力する。ここで、Ｆｂｇ（フィブリノーゲン）等の検査項目については、求めた血液凝固時間に対して、さらに、検査項目毎に指定された分析法により予め測定しておいた検量線に基づき、成分濃度のデータを求めて分析結果として出力する。各検査項目の分析結果としての血液凝固時間や成分濃度のデータは、プリンタ１０６や表示装置１０３の画面に出力される。
【００４４】
ここで、上記の測定動作が実行される前に、操作者は、分析に必要な種々のパラメータの設定や試薬、サンプルの登録を、表示装置１０３の操作画面を介して予め行う。また、操作者は、測定後の分析結果を表示装置１０３上の操作画面により確認することができる。
【００４５】
また、サンプル分注プローブ１２によって吐出されるサンプルの吐出先は反応容器（生化学分析用）２６であってもよい。この場合、上述したように予め反応容器（生化学分析用）２６内で前処理液と反応させたのちに、血液凝固分注プローブ２３によって、反応容器（血液凝固分析用）２８に分注することもできる。
【００４６】
血液凝固分注プローブ２０では、先に反応容器（血液凝固分析用）２８に収容されているサンプルに対して、試薬が吐出されたときの勢いによって、反応容器（血液凝固分析用）２８内におけるサンプルとの混合を行う、吐出攪拌と呼ばれる撹拌を行う。サンプルと試薬の分注順序は、この例とは逆に、サンプルより試薬の方が先であってもよく、この場合はサンプルが吐出されたときの勢いによって、試薬との混合を行うことができる。
【００４７】
ここで、吐出攪拌では確実な攪拌を実行するために血液凝固試薬分注プローブ３０５の先端の位置の反応容器に対する位置精度を高く保つことが重要であり、その位置調整には特に注意を要する。
【００４８】
<血液凝固時間検出部の基本構成について>
次に、血液凝固時間検出部２１の構造を説明する。詳細は図２を用いて後述するが、血液凝固時間検出部２１は、使い捨ての反応容器（血液凝固分析用）２８を設置可能な１つまたは複数の反応ポート３０４を有する反応ブロック３０１と、光源３０２と、散乱光または透過光の検出器３０３を持ち、反応容器（血液凝固分析用）２８内の反応液に照射された光の散乱光または透過光の強度を検出することができる。
【００４９】
図１において、血液凝固試薬分注プローブ２０は、反応ディスク１３上の反応容器（生化学分析用）２６に収容される試薬の吸引動作、及び、血液凝固時間検出部２１に反応容器移送機構２３によって設置された使い捨ての反応容器（血液凝固分析用）２８への分注動作を行う。使い捨て反応容器マガジン２５は、複数の使い捨てである反応容器（血液凝固分析用）２８を整列して設置するために使われる。サンプル分注ポジション１８は、サンプルディスク１１に設置された分析対象のサンプルを、反応容器（血液凝固分析用）２８に分注するために設けられており、ここで、反応容器（血液凝固分析用）２８は反応容器移送機構２３によって使い捨て反応容器マガジン２５から移送される。光学ジグマガジン２２には適切な濁度で光を散乱する固体散乱体が設置されており、使い捨て反応容器と同様に反応容器移送機構２３で移送することができる。
【００５０】
ここで、図２は、本実施の形態に係る自動分析装置における、分注プローブと光源と検出器の配置の構成を示す図である。
【００５１】
図２（ａ）は、分注プローブと光源と検出器の配置の構成の側面からの断面図であり、図２（ｂ）は、同配置構成の正面からの断面図である。ここで、図１における血液凝固時間検出部２１は、温度が一定に保たれた反応ブロック３０１、光源３０２、検出器３０３を含み、上面から使い捨ての反応容器（血液凝固分析用）２８を設置できる反応ポート３０４を１つないし複数備えている。検出器３０３は光源３０２から反応容器内の反応液に照射された光の散乱光を検出できるように配置する。
【００５２】
<分注プローブの位置調整の方法>
図３は、本実施の形態に係る分注プローブの自動位置調整シーケンスの一例を示すフローチャートである。
【００５３】
本図を用いて、上述した構成における、分注プローブの位置調整の方法について説明する。ここでは、分注プローブの例として、図２に示した血液凝固試薬分注プローブ３０５について説明するが、当然のことながら、全ての実施の形態において、これ以外の分注プローブである、サンプル分注プローブ１２、第１試薬分注プローブ１７、第２試薬分注プローブ１４等の種々の分注機構に適用可能である。
【００５４】
まず、ステップ３０１にて、血液凝固試薬分注プローブ３０５の移動量のリセットを行う（Ｓ３０１）。次に、ステップ３０２にて、予め記憶された機構設計上の基準位置(ホーム位置)からの移動量または前回調整時の移動量に基づき、血液凝固試薬分注プローブ３０５を基準位置から反応ポート３０４（または反応容器（血液凝固分析用）２８でもよい）上へ水平移動する（Ｓ３０２）。その後、ステップ３０３にて、血液凝固試薬分注プローブ３０５を設計上の基準高さ(ホーム位置)から垂直に下降し、血液凝固試薬分注プローブ３０５を徐々に反応ポート３０４内に差し込んでいく。その際、図４に示すように、血液凝固試薬分注プローブ３０５の先端で反射した光が、検出器３０３に入射する点で受光強度のピークが得られる。ここで、図４における横軸は基準位置からの移動量（ｍｍ）、縦軸は検出された光強度に相当する電流の出力値をＡ／Ｄ変換することによって求められるカウント値（ｃｏｕｎｔ  ｎｕｍｂｅｒ）を示す。カウント値に代えて、電流強度を縦軸とすることもでき（図５，１１，１３，１６，１７においても同様である。）、いずれにしても受光される光強度に相当するものである。ステップ３０３では、このように光量が最大となるピークを得られる高さの位置を記憶する（Ｓ３０３）。ここで、図４は、本実施の形態に係る分注プローブの高さ方向の移動量と検出器の受光量との関係の概略を示す図である。
【００５５】
ステップ３０４では、このように記憶した値に基づいて、血液凝固試薬分注プローブ３０５を、光量が最大値となる高さ位置まで移動する（Ｓ３０４）。
【００５６】
次に、ステップ３０５では、水平方向にも所定の距離ずつ移動させ、受光強度の変化を測光する。得られる光量が弱くなる場合は中心から外れていると判断し、逆方向に移動する。このとき、図５に示すように、高さ方向の調整の場合と同様にピークが得られる点を反応ポート３０４の中心位置と判断し、メモリ１０４に記憶する（Ｓ３０５）。
【００５７】
ここで、光量のピークが得られる点は光源３０２や検出器３０３の配置により異なるが、配置が一定であれば常に一定の血液凝固試薬分注プローブ３０５と反応ポート３０４の相対的な位置関係で光量のピークが得られるため、このデータに基づいて、血液凝固試薬分注プローブ３０５の先端の位置が反応ポート３０４上のどの高さ、水平方向の位置にいるかを特定することができる。ステップ３０６では、このときの基準高さからピークが得られる高さ、水平方向位置までの移動量と、予め記憶してある機構設計上の移動量の差分を調整値としてメモリ１０４に格納する（Ｓ３０６）。以後のオペレーションでは機構設計上の移動量に差分を加えて補正することにより、反応ポート３０４および反応容器（血液凝固分析用）２８に対して正確な高さ、水平方向の位置における血液凝固試薬分注プローブ３０５による分注を実行できる。
【００５８】
上記のフローチャートにより、血液凝固試薬分注プローブ３０５の高さ方向、水平方向における位置調整を自動的に行うことができる。
【第２の実施の形態】
【００５９】
第１の実施の形態では、１軸の水平移動機構と、１軸の垂直移動機構を備える分注機構の構成における自動位置調整の例について説明した。
【００６０】
本実施の形態では、２軸の水平移動機構（Ｘ，Ｙ軸）と１軸の垂直移動機構（Ｚ軸）を備える分注機構の構成における自動位置調整の適用例について説明する。図６は、本実施の形態に係る分注プローブの自動位置調整シーケンスの一例を示すフローチャートである。ここでは、上述の実施の形態と同様に、分注プローブの例として、図２に示した血液凝固試薬分注プローブ３０５について説明するが、これ以外の分注プローブにも適用可能である。
【００６１】
まず、ステップ６０１にて、血液凝固試薬分注プローブ３０５の移動量のリセットを行う（Ｓ６０１）。次に、ステップ６０２にて、予め記憶された機構設計上の基準位置(ホーム位置)からの移動量または前回調整時の移動量に基づき、血液凝固試薬分注プローブ３０５を基準位置から反応ポート３０４上の位置へ向かって同一平面上のＸ，Ｙ軸方向に移動する（Ｓ６０２）。その後、ステップ６０３にて、血液凝固試薬分注プローブ３０５を設計上の基準高さ(ホーム位置)から垂直に下降し、血液凝固試薬分注プローブ３０５を徐々に反応ポート３０４内に差し込んでいく。その際、図４に示すように、血液凝固試薬分注プローブ３０５の先端で反射した光が、検出器３０３に入射する点で受光強度のピークが得られる。ステップ６０３では、このように光量が最大となるピークを得られる高さの位置を記憶する（Ｓ６０３）。ステップ６０４では、このようにして記憶した調整値に基づいて、血液凝固試薬分注プローブ３０５を、光量が最大値となる高さ位置まで移動する（Ｓ６０４）。
【００６２】
次に、ステップ６０５では、Ｘ方向にも所定の距離ずつ移動させ、受光強度の変化を測光する。得られる光量が弱くなる場合は中心から外れていると判断し、逆方向に移動する。このとき、図５に示すように、高さ方向の調整の場合と同様にピークが得られる点を反応ポート３０４のＸ軸上の中心位置と判断し、メモリ１０４に格納する（Ｓ６０５）。ステップ６０６では、このように記憶した調整値に基づいて、血液凝固試薬分注プローブ３０５を、光量が最大値となるＸ軸上の位置まで移動する（Ｓ６０６）。
【００６３】
その後、ステップ６０７では、同様にＹ軸方向にも所定の距離ずつ移動させ、受光強度の変化を測光する。得られる光量が弱くなる場合は中心から外れていると判断し、逆方向に移動する。このとき、図５に示すように、高さ方向の調整の場合と同様にピークが得られる点を反応ポート３０４のＹ軸上の中心位置と判断し、メモリ１０４に格納する（Ｓ６０７）。
【００６４】
ここで、光量のピークが得られる点は光源３０２や検出器３０３の配置により異なるが、配置が一定であれば常に一定の血液凝固試薬分注プローブ３０５と反応ポート３０４の相対的な位置関係でピークが得られるため、このデータに基づいて、血液凝固試薬分注プローブ３０５の先端の位置が反応ポート３０４内のどの高さに位置しているかを特定することができる。ステップ６０８では、このときの基準高さからピークが得られる高さまでの移動量と、予め記憶してある機構設計上の移動量の差分を調整値としてメモリ１０４に格納する（Ｓ６０８）。以後のオペレーションでは機構設計上の移動量に差分を加えて補正することにより、反応ポート３０４および反応容器（血液凝固分析用）２８に対して正確な高さの位置における血液凝固試薬分注プローブ３０５による分注を実行できる。
【００６５】
上記のフローチャートにより、２軸の水平移動機構（Ｘ，Ｙ軸）と１軸の垂直移動機構（Ｚ軸）を備える構成においても、血液凝固試薬分注プローブ３０５の位置調整を自動的に行うことができる。
【第３の実施の形態】
【００６６】
上述した実施の形態では、１軸または２軸の水平移動機構と、１軸の垂直移動機構を備える分注機構の構成における自動位置調整の例について説明した。
【００６７】
本実施の形態では、１軸の回転機構と１軸の垂直移動機構を備える分注機構の構成における自動位置調整の適用例について説明する。ここで回転機構とは、図示しない回転軸を備え、弧を描くように移動するアームの先端に分注プローブが備えられている構成を意味している。図７は、本実施の形態に係る分注プローブの自動位置調整シーケンスの一例を示すフローチャートである。ここでは、上述の実施の形態と同様に、分注プローブの例として、図２に示した血液凝固試薬分注プローブ３０５について説明するが、これ以外の分注プローブにも適用可能であることは上述の通りである。
【００６８】
まず、ステップ７０１にて、血液凝固試薬分注プローブ３０５の移動量のリセットを行う（Ｓ７０１）。次に、ステップ７０２にて、予め記憶された機構設計上の基準位置(ホーム位置)からの移動量または前回調整時の移動量に基づき、血液凝固試薬分注プローブ３０５を基準位置から反応ポート３０４上に回転移動する（Ｓ７０２）。その後、ステップ７０３にて、血液凝固試薬分注プローブ３０５を設計上の基準高さ(ホーム位置)から垂直に下降し、血液凝固試薬分注プローブ３０５を徐々に反応ポート３０４内に差し込んでいく。その際、図４に示すように、血液凝固試薬分注プローブ３０５の先端で反射した光が、検出器３０３に入射する点で受光強度のピークが得られる。ステップ７０３では、このように光量が最大となるピークを得られる高さの位置を記憶する（Ｓ７０３）。
【００６９】
ステップ７０４では、このように記憶した値に基づいて、血液凝固試薬分注プローブ３０５を、光量が最大値となる高さ位置まで移動する（Ｓ７０４）。
【００７０】
次に、ステップ７０５では、回転方向にも所定の角度ずつ移動させ、受光強度の変化を測光する。得られる光量が弱くなる場合は中心から外れていると判断し、逆方向に移動する。このとき、図５に示すように、高さ方向の調整の場合と同様にピークが得られる点を反応ポート３０４の中心位置と判断し、メモリ１０４に記憶する（Ｓ７０５）。
【００７１】
ピークが得られる点は光源３０２や検出器３０３の配置により異なるが、配置が一定であれば常に一定の血液凝固試薬分注プローブ３０５と反応ポート３０４の相対的な位置関係で光量のピークが得られるため、血液凝固試薬分注プローブ３０５の先端が反応ポート３０４内のどの高さ、回転位置にあるかを特定することができる。ステップ７０６では、このときの基準高さ、回転位置からピークが得られる高さ、回転位置までの移動量と、予め記憶してある機構設計上の移動量の差分を調整値としてメモリ１０４に格納する（Ｓ７０６）。以後のオペレーションでは機構設計上の移動量に差分を加えて補正することにより、反応ポート３０４および反応容器（血液凝固分析用）２８に対して正確な血液凝固試薬分注プローブ３０５の高さ、回転位置における分注を実行できる。
【００７２】
上記のフローチャートにより、１軸の回転機構と１軸の垂直移動機構を備える構成においても血液凝固試薬分注プローブ３０５の位置調整を自動的に行うことができる。
【第４の実施の形態】
【００７３】
上述した実施の形態において、水平方向の位置がずれた状態で高さを調整した場合、正しい位置からわずかにずれた位置でピークが得られることがある。本実施の形態では、このような事態に対し、調整の繰り返しによって分注プローブの位置精度を高めるための手法の一例として、１軸の水平移動機構と１軸の垂直移動機構を備える分注機構の構成における自動位置調整の適用例について説明する。図８は、本実施の形態に係る分注プローブの自動位置調整シーケンスの一例を示すフローチャートである。ここでは、上述の実施の形態と同様に、分注プローブの例として、図２に示した血液凝固試薬分注プローブ３０５について説明するが、これ以外の分注プローブにも適用可能である。
【００７４】
まず、ステップ８０１にて、血液凝固試薬分注プローブ３０５の移動量のリセットを行う（Ｓ８０１）。次に、ステップ８０２にて、予め記憶された機構設計上の基準位置(ホーム位置)からの移動量または前回調整時の移動量に基づき、血液凝固試薬分注プローブ３０５を基準位置から反応ポート３０４（または反応容器（血液凝固分析用）２８でもよい）上へ水平移動する（Ｓ８０２）。
【００７５】
その後、ステップ８０３にて、血液凝固試薬分注プローブ３０５を設計上の基準高さ(ホーム位置)から垂直に下降し、血液凝固試薬分注プローブ３０５を徐々に反応ポート３０４内に差し込んでいく。その際、図４に示すように、血液凝固試薬分注プローブ３０５の先端で反射した光が、検出器３０３に入射する点で受光強度のピークが得られる。ステップ８０３では、このように光量が最大となるピークを得られる高さの位置を１回目の記憶値として記憶する（Ｓ８０３）。
【００７６】
ステップ８０４では、このように記憶した値に基づいて、血液凝固試薬分注プローブ３０５を、光量が最大値となる高さ位置まで移動する（Ｓ８０４）。
【００７７】
次に、ステップ８０５では、水平方向にも所定の距離ずつ移動させ、受光強度の変化を測光する。得られる光量が弱くなる場合は中心から外れていると判断し、逆方向に移動する。このとき、図５に示すように、高さ方向の調整の場合と同様にピークが得られる点を反応ポート３０４の中心位置と判断し、１回目の記憶値としてメモリ１０４に記憶する（Ｓ８０５）。
【００７８】
その後、ステップ８０６にて、血液凝固試薬分注プローブ３０５の移動量のリセットを行う（Ｓ８０６）。ステップ８０７では、（ｎ−１）回目の水平方向の調整で記憶された移動量に基づき、血液凝固試薬分注プローブ３０５を基準位置から反応ポート３０４（または反応容器（血液凝固分析用）２８でもよい）上へ再び水平移動する（Ｓ８０７）。
【００７９】
その後、ステップ８０８にて、血液凝固試薬分注プローブ３０５を設計上の基準高さ(ホーム位置)から垂直に下降し、血液凝固試薬分注プローブ３０５を徐々に反応ポート３０４内に差し込んでいく。その際、図４に示すように、血液凝固試薬分注プローブ３０５の先端で反射した光が、検出器３０３に入射する点で受光強度のピークが得られる。ステップ８０８では、このように光量が最大となるピークを得られる高さの位置をｎ回目の記憶値として記憶する（Ｓ８０８）。
【００８０】
ステップ８０９では、このように記憶した値に基づいて、血液凝固試薬分注プローブ３０５を、光量が最大値となる高さ位置まで移動する（Ｓ８０９）。
【００８１】
次に、ステップ８１０では、水平方向にも所定の距離ずつ移動させ、受光強度の変化を測光する。得られる光量が弱くなる場合は中心から外れていると判断し、逆方向に移動する。このとき、図５に示すように、高さ方向の調整の場合と同様にピークが得られる点を反応ポート３０４の中心位置と判断し、ｎ回目の記憶値としてメモリ１０４に記憶する（Ｓ８１０）。
【００８２】
ステップ８１１では、高さ、水平方向の位置のそれぞれについて、ステップ８０８、ステップ８１０にて記憶した値が（ｎ−１）回目の調整と同じとなる否かを判定し（Ｓ８１１）、この条件を満たさない場合にはステップ８０６に戻り同様の動作を繰り返す。一方、本条件を満たす場合には、ステップ８１２にて、ｎ回目に記憶した位置と予め記憶された位置の差分をメモリ１０４に記憶する（Ｓ８１２）。
【００８３】
最後にステップ８１３にて血液凝固試薬分注プローブ３０５の移動量のリセットを行う（Ｓ８１３）。
【００８４】
ここで、水平方向の移動機構が２軸の場合には、水平方向のどちらか一方の１軸の調整を行った後にもう一方の軸を調整すればよく、水平方向の移動機構が回転１軸の場合においては、図７のフローチャートを本実施の形態に適用させることにより調整できる。
【第５の実施の形態】
【００８５】
上述の実施の形態においては、分注プローブの先端の位置が大きくずれていて、機構設計上の移動量に基づいて移動した場合であっても分注プローブの先端の位置が光源の照射範囲内かつ検出器の検出範囲内に入らない場合、光量のピークを検出できないため自動調整が不可能である。本実施の形態では、このような事態における分注プローブの自動位置調整を行うための手法の例として、３つの態様について説明する。
【００８６】
１つ目は従来と同様に、まず機構設計上の移動量で反応ポート３０４上あるいは反応ポート３０４内に分注プローブを移動し、位置ずれを目視で確認して移動量の調整値を手動で入力し、分注プローブの位置をリセットして調整値を加えた移動量で移動させ、位置ずれを再度確認して調整値を修正することを繰り返す方法である。この場合でも、光の照射範囲内かつ検出範囲内に分注プローブを調整できれば、機構設計上の移動量を目視による調整値を加えた移動量に置き換えて、上述した第１〜４の実施の形態に係る自動位置調整を行えば良いため、最終的な位置まで目視で調整する従来の方法と比較して簡単にかつ短時間で調整できる。
【００８７】
２つ目は、自動的に大まかな位置調整を行う方法である。図９は、本実施の形態に係る自動分析装置における、分注プローブと光源と検出器の配置の構成を示す図であり、図９（ａ）は、分注プローブと光源と検出器の配置の構成の側面からの断面図であり、図９（ｂ）は、同配置構成の正面からの断面図である。
【００８８】
本図に示すように、血液凝固試薬部分注プローブ３０５の設置箇所の周囲に反射材３０６を配置し、下方の光源３０２から照射される光を反射するようにしておく。また、このとき、反応ポート３０４には、図１０を用いて後述するように反応容器移送機構２３によって移送された光学ジグ３０８が設置されている。
【００８９】
反射材３０６は、血液凝固試薬分注プローブ３０５を中心として同心円状に配置されており、血液凝固試薬分注プローブ３０５と反射材３０６との間の隙間の幅は、血液凝固試薬分注プローブ３０５を中心として全ての位置にて均等になるようにし、この隙間には光を反射しないような処理を施しておく。反射材３０６の形状は中空円や中空の長方形など、対称性を有する任意の形状に適用できる。
【００９０】
図１０は、本実施の形態に係る分注プローブの自動位置調整シーケンスの一例を示すフローチャートである。
【００９１】
まず、ステップ１００１にて、血液凝固試薬分注プローブ３０５の移動量のリセットを行う（Ｓ１００１）。次に、ステップ１００２にて、反応容器移送機構２３によって光学ジグマガジン２２から光学ジグ３０８を反応ポート３０４に移送する（Ｓ１００２）。
【００９２】
その後、ステップ１００３にて血液凝固試薬分注プローブ３０５を水平方向、すなわち同一平面上のＸ軸、Ｙ軸方向のうちの一方の軸方向に徐々に移動しながら測光し、光量の変化を記憶する（Ｓ１００３）。
【００９３】
ここで、血液凝固試薬分注プローブ３０５が、光学ジグ３０８が設置されている反応ポート３０４上を通過するとき、反応ポート３０４上に反射材３０６が存在しない場合、検出器３０３では光学ジグ３０８からの散乱光のみが一定の強度で検出されるが、反射材３０６がある場合には光学ジグ３０８を透過して反射材に当たった光が反射して再び光学ジグ３０８に入射、散乱するため、受光強度が高くなる。
【００９４】
上述した通り、血液凝固試薬分注プローブ３０５の設置箇所の周辺であって、反射材３０６との隙間は、反射しない素材を用いているので、血液凝固試薬分注プローブ３０５を反応ポート３０４上で一方向に動かすと、図１１に示すように高い強度を示２つのピークＡ，Ｂの間に、光量の強度が低い区間と、この区間内における小さな強度のピークａが検出される。この小さなピークａは、血液凝固試薬分注プローブ３０５のノズルの先端位置での反射光が、光学ジグ３０８に再入射することに起因する。
【００９５】
一定の速さで血液凝固試薬分注プローブ３０５を動かした場合、反射材３０６と間隙間は、血液凝固試薬分注プローブ３０５の設置位置に対して上述の通り左右対称となるように配置されているため、強度が弱い区間の中心が、反応ポート３０４の中心に血液凝固試薬分注プローブ３０５の先端が位置するときの移動量であると判断できる。ステップ１００４では、このときの移動量をコンピュータ１０５を用いて求め、メモリ１０４に格納する（Ｓ１００４）。
【００９６】
ステップ１００５にて、水平方向の移動機構が２軸あるか否かを判定する（Ｓ１００５）。ここで、移動機構が２軸ある場合、ステップ１００６、１００７では、ステップ１００２にて実行しなかった同一平面上のＸ軸、Ｙ軸方向のうちの他方の軸方向についても同様の操作を行う（Ｓ１００６、Ｓ１００７）。一方、水平方向の移動機構が１つのみの場合には、ステップ１００８へ進む。
【００９７】
ステップ１００８では、ステップ１００４、ステップ１００７にて、自動位置調整により記憶した血液凝固試薬分注プローブ３０５の位置と、予め記憶された位置の差分（調整値）を記憶する（Ｓ１００８）。そして、ステップ１００９にて、リセット動作を行う（Ｓ１００９）。
【００９８】
次に、ステップ１０１０にて、反応容器移送機構２３によって光学ジグ３０８を移送し、反応ポート３０４から光学ジグマガジン２２の位置へ戻す（Ｓ１０１０）。
【００９９】
その後、ステップ１０１１にて、各フローチャートにおける、機構設計上の移動量に基づく分注プローブの移動を、本実施の形態にて説明した手法にてメモリ１０４に格納した移動量または調整値に置き換えて自動位置調整を行う（ステップ１０１１）。
【０１００】
ここで、上記の構成において、光学ジグ３０８に代えて、反応ポート３０４に光を散乱する液体、例えば決まった粒子径を有するラテックス粒子が既知の濃度に調整された標準液を収容する反応容器（血液凝固分析用）２８を設置することによっても同様に自動位置調整を実行することができる。
【０１０１】
３つ目は、先に述べた２つ目の手法において、血液凝固試薬分注プローブ３０５のノズルの先端位置での反射光が、光学ジグ３０８に再入射する際生じる小さな光量のピークが検出される位置を、反応ポート３０４の中心に血液凝固試薬分注プローブ３０５の先端が位置するときの移動量であると判断し、２つ目の手法と同様に調整する方法である。
【０１０２】
以上の方法により分注プローブの位置が大きくずれた場合でも大まかな位置調整ができる。日常の点検では、通常分注プローブの変形は起きないかごくわずかであるため、大まかな位置調整は不要だが、工場での組立時やユニットを分解した場合や分注プローブを交換した場合、あるいは分注プローブが衝突した場合などは大きなずれが想定されるため、上記の位置調整を行うことが有効である。
【第６の実施の形態】
【０１０３】
上述の第１〜５の実施の形態では、血液凝固時間分析ユニット２において、反応ポート３０４の下方に配置された光源３０２から光を照射する構成の例について説明した。本実施の形態では、反応ポート３０４の側面に光源を配置する構成への適用例について説明する。
【０１０４】
図１２は、本実施の形態に係る自動分析装置における、分注プローブと光源と検出器の配置の構成を示す図である。ここで、図１２（ａ）は、分注プローブと光源と検出器の配置の構成の側面からの断面図であり、図１２（ｂ）は、同配置構成の上面からの断面図である。図１２（ｂ）に示すように、本構成においては、光源３０２によって照射される光の光軸に対して垂直となる位置に検出器３０３が配置されている。
【０１０５】
本構成における分注プローブの自動位置調整は次の動作に従って行われる。まず、血液凝固試薬分注プローブ３０５の移動量のリセットを行い、予め記憶された機構設計上の基準位置(ホーム位置)からの移動量または前回調整時の移動量に基づき、血液凝固試薬分注プローブ３０５を基準位置から反応ポート３０４（または反応容器（血液凝固分析用）２８でもよい）上へ水平移動する。
【０１０６】
その後、血液凝固試薬分注機構３０５を設計上の基準高さ(ホーム位置)から垂直に下降し、血液凝固試薬分注プローブ３０５を徐々に反応ポート３０４内に差し込んでいく。その際、図４のように血液凝固試薬分注プローブ３０５の先端で反射した光が検出器３０３に入射し始める点が得られるため、光量が最大となるピークを得られる高さの位置を記憶する。そして、このように記憶した値に基づいて、血液凝固試薬プローブ３０５を、光量が最大値となる高さの位置まで移動する。
【０１０７】
ここで、光量のピークが得られる点は光源３０２や検出器３０３の配置により異なるが、配置が一定であれば常に一定の血液凝固試薬分注プローブ３０５と反応ポート３０４の相対的な位置関係で光量のピークが得られるため、このデータに基づいて、血液凝固試薬分注プローブ３０５の先端の位置が反応ポート３０４上のどの高さの位置にいるかを特定することができる。このときの基準高さからピークが得られる高さまでの移動量と、予め記憶してある機構設計から求められる入射が始まる点までの移動量の差分を調整値としてメモリ１０４に格納する。以後のオペレーションでは機構設計上の移動量に差分を加えて補正することにより、反応ポート３０４および反応容器（血液凝固分析用）２８に対して正確な高さの位置における血液凝固試薬分注プローブ３０５による分注を実行できる。
【０１０８】
ここで、図１３は、本実施の形態に係る分注プローブの水平方向の移動量と検出器の受光量との関係の概略を示す図である。
【０１０９】
本実施の形態において、水平方向も同様の方法で位置を調整することができるが、上述の実施の形態とはと異なり、図１３に示すように、反応ポート３０４の中心位置から一定量ずれた位置で光量がピークを示す。このずれ量は光源３０２や検出器３０３の配置で決まり、同じ配置構成であれば一定となるため、予め設計段階または工場出荷前の調整でずれ量を計測してメモリ１０４に格納しておく。
【０１１０】
上述と同様の手法で自動位置調整を行って光量のピークを検出したら、そのときの基準位置からの血液凝固試薬分注プローブ３０５の移動量と、メモリ１０４に格納されたずれ量に基づいて、基準位置から反応ポート３０４の中心位置までの移動量を求め、機構設計上の移動量との差分を調整値としてメモリ１０４に格納する。以後のオペレーションでは機構設計上の移動量に差分を加えて補正することにより、反応ポート３０４および反応容器（血液凝固分析用）２８に対して正確な血液凝固試薬分注プローブ３０５の高さ、水平方向の位置における分注を実行することができる。さらに、本実施の形態に対し、第４の実施の形態にて説明した複数回の調整を繰り返し行う手法を適用することにより、さらなる高精度化を図ることもできる。
【第７の実施の形態】
【０１１１】
本実施の形態では、上述の実施の形態にて、光源３０２と検出器３０３からなら測光部の構成として、特に透過光を利用する適用例について説明する。図１４は、本実施の形態に係る自動分析装置における、分注プローブと光源と検出器の配置の構成を示す図であり、図１４（ａ）は、分注プローブと光源と検出器の配置の構成の側面からの断面図であり、図１４（ｂ）は、同配置構成の正面からの断面図である。また、図１５は、本実施の形態に係る分注プローブの自動位置調整シーケンスの一例を示すフローチャートである。ここで、図１５（a）は、位置調整動作をｎ回繰り返す場合のフローチャートであり、図１５（ｂ）は、位置調整動作を１回実行する場合のフローチャートである。図１４（ａ）に示すように、光源３０２と、検出器３０３とは、反応ポート３０４において反応容器（血液凝固分析用）２８が設置されたときに反応容器（血液凝固分析用）２８を挟んで対向するように配置されている。
【０１１２】
まず、図１５（a）を用いて、位置調整動作をｎ回繰り返す場合について説明する。ステップ１５０１にて、血液凝固試薬分注プローブ３０５の移動量のリセットを行う（Ｓ１５０１）。次に、ステップ１５０２にて、予め記憶された機構設計上の基準位置(ホーム位置)からの移動量または前回調整時の移動量に基づき、血液凝固試薬分注プローブ３０５を基準位置から反応ポート３０４（または反応容器（血液凝固分析用）２８でもよい）上へ水平移動する（Ｓ１５０２）。その後、ステップ１５０３にて、血液凝固試薬分注プローブ３０５を設計上の基準高さ(ホーム位置)から垂直に下降し、血液凝固試薬分注プローブ３０５を徐々に反応ポート３０４内に差し込んでいく。その際、図１６に示すように、血液凝固試薬分注プローブ３０５の先端が光束、すなわち光源から照射される光の範囲に入ると光の一部が遮られ、検出器の受光量が低下し始める。ステップ１５０３では、このように受光量が低下し始める点に相当する血液凝固試薬分注プローブ３０５の位置をメモリ１０４に１回目の値として記憶する（Ｓ１５０３）。ここで、図１６は本実施の形態に係る分注プローブの高さ方向の移動量と検出器の受光量の関係の概略を示した図である。
【０１１３】
ステップ１５０４では、このように記憶した値に基づいて、血液凝固試薬分注プローブ３０５の先端が、光束よりも下方に位置するまで、すなわち、光束を十分遮ることのできる位置まで血液凝固試薬分注プローブ３０５を下降する（Ｓ１５０４）。
【０１１４】
そして、ステップ１５０５にて血液凝固試薬分注プローブ３０５を水平方向に所定の距離ずつ移動させ、受光強度の変化を測光する。血液凝固試薬分注プローブ３０５が、光源３０２から照射される光の光軸を遮るときに検出される透過光量が最も減少するため、光量が増大する場合は中心からより外れていると判断し、逆方向に移動する。図１７に示すように光量低下のピークが得られる点を、血液凝固試薬分注プローブ３０５が光軸を通過する点であると判断し、これを１回目の値として記憶する（Ｓ１５０５）。ここで、図１７は本実施の形態に係る分注プローブの水平方向の移動量と検出器の受光量の関係の概略を示した図である。
【０１１５】
その後、ステップ１５０６にて、血液凝固試薬分注プローブ３０５の移動量のリセットを行う（Ｓ１５０６）。ステップ１５０７では、（ｎ−１）回目の水平方向の調整で記憶された移動量に基づき、血液凝固試薬分注プローブ３０５を基準位置から反応ポート３０４（または反応容器（血液凝固分析用）２８でもよい）上へ再び水平移動する（Ｓ１５０７）
次に、ステップ１５０８にて、血液凝固試薬分注プローブ３０５を設計上の基準高さ(ホーム位置)から垂直に下降し、血液凝固試薬分注プローブ３０５を徐々に反応ポート３０４内に差し込んでいき、ステップ１５０３と同様に、光量が下がり始める点を得られる高さの位置をｎ回目の記憶値として記憶する（Ｓ１５０８）。
【０１１６】
ステップ１５０９では、このように記憶した値に基づいて、血液凝固試薬分注プローブ３０５を、ステップ１５０４と同様に先端が光束よりも下方に位置するまで、すなわち、光束を十分遮ることのできる位置まで下降する（Ｓ１５０９）。
【０１１７】
そして、ステップ１５１０では、ステップ１５０５と同様に血液凝固試薬分注プローブ３０５を水平方向にも所定の距離ずつ移動させ、受光強度の変化を測光する。血液凝固試薬分注プローブ３０５が、光源３０２から照射される光の光軸を遮るときに検出される透過光量が最も減少するため、光量が増大する場合は中心からより外れていると判断し、逆方向に移動する。図１７に示すように光量低下のピークが得られる点を、血液凝固試薬分注プローブ３０５が光軸を通過する点であると判断し、これをｎ回目の値として記憶する（Ｓ１５１０）
ステップ１５１１では、高さ、水平方向の位置のそれぞれについて、ステップ１５０８、ステップ１５１０にて記憶した値が（ｎ−１）回目の調整と同じとなる否かを判定し（Ｓ１５１１）、この条件を満たさない場合にはステップ１５０６に戻り同様の動作を繰り返す。一方、本条件を満たす場合には、ステップ１５１２にて、ｎ回目に記憶した位置と予め記憶された位置の差分をメモリ１０４に記憶する（Ｓ１５１２）。
【０１１８】
最後にステップ１５１３にて血液凝固試薬分注プローブ３０５の移動量のリセットを行う（Ｓ１５１３）。
【０１１９】
以後のオペレーションでは機構設計上の移動量に差分を加えて補正することにより、反応ポート３０４または反応容器（血液凝固試薬分析用）２８と光軸に対して正確な血液凝固試薬プローブ３０５の位置での分注を実行できる。
【０１２０】
ここで、水平方向に２軸の移動機構を持つ場合には、光軸に垂直な方向には調整できるが、光軸に平行な方向には手動で調整する必要がある。
【０１２１】
また、光束が円のような形状の場合、上述した第４の実施の形態と同様に、複数回調整を繰り返し行うことで、特に高さ方向の精度を高めることができる。
【０１２２】
次に、図１５（ｂ）を用いて、位置調整動作を１回実行する場合について説明する。まず、ステップ１５０１にて、血液凝固試薬分注プローブ３０５の移動量のリセットを行う（Ｓ１５０１）。次に、ステップ１５０２にて、予め記憶された機構設計上の基準位置(ホーム位置)からの移動量または前回調整時の移動量に基づき、血液凝固試薬分注プローブ３０５を基準位置から反応ポート３０４（または反応容器（血液凝固分析用）２８でもよい）上へ水平移動する（Ｓ１５０２）。その後、ステップ１５０３にて、血液凝固試薬分注プローブ３０５を設計上の基準高さ(ホーム位置)から垂直に下降し、血液凝固試薬分注プローブ３０５を徐々に反応ポート３０４内に差し込んでいく。その際、図１６に示すように、血液凝固試薬分注プローブ３０５の先端が光束、すなわち光源から照射される光の範囲に入ると光の一部が遮られ、検出器の受光量が低下し始める。ステップ１５０３では、このように受光量が低下し始める点に相当する血液凝固試薬分注プローブ３０５の位置をメモリ１０４に記憶する（Ｓ１５０３）。ここで、図１６は本実施の形態に係る分注プローブの高さ方向の移動量と検出器の受光量の関係の概略を示した図である。
【０１２３】
ステップ１５０４では、このように記憶した値に基づいて、血液凝固試薬分注プローブ３０５の先端が、光束よりも下方に位置するまで、すなわち、光束を十分遮ることのできる位置まで血液凝固試薬分注プローブ３０５を下降する（Ｓ１５０４）。
【０１２４】
そして、ステップ１５０５にて血液凝固試薬分注プローブ３０５を水平方向に所定の距離ずつ移動させ、受光強度の変化を測光する。血液凝固試薬分注プローブ３０５が、光源３０２から照射される光の光軸を遮るときに検出される透過光量が最も減少するため、光量が増大する場合は中心からより外れていると判断し、逆方向に移動する。図１７に示すように光量低下のピークが得られる点を、血液凝固試薬分注プローブ３０５が光軸を通過する点であると判断し、このときの移動量を記憶する（Ｓ１５０５）。ここで、図１７は本実施の形態に係る分注プローブの水平方向の移動量と検出器の受光量の関係の概略を示した図である。
【０１２５】
ここで、光量が低下し始める高さと光量低下のピークが得られる水平方向の位置は配置により異なるが、配置が一定であれば常に血液凝固試薬分注プローブ３０５に対して一定の相対的な位置関係が得られるため、このデータに基づいて、血液凝固試薬分注プローブ３０５の先端の位置が反応ポート３０４上のどの高さ、水平方向の位置にいるかを特定することができる。ステップ１５１４では、基準高さから光量が低下し始める高さまでの移動量と、基準位置から水平方向の光量低下のピークが得られるまでの移動量について、予め記憶してある機構設計上の移動量との差分を調整値としてメモリ１０４に格納する（Ｓ１５１４）。
【０１２６】
その後、ステップ１５１３にて、血液凝固試薬分注プローブ３０５の移動量のリセットを行う（Ｓ１５１３）。
【０１２７】
以後のオペレーションでは機構設計上の移動量に差分を加えて補正することにより、反応ポート３０４または反応容器（血液凝固試薬分析用）２８と光軸に対して正確な血液凝固試薬プローブ３０５の位置での分注を実行できる。
【０１２８】
ここで、水平方向に２軸の移動機構を持つ場合には、光軸に垂直な方向には調整できるが、光軸に平行な方向には手動で調整する必要がある。
【第８の実施の形態】
【０１２９】
本実施の形態では、上述した第１〜７の実施の形態において、血液凝固試薬プローブ３０５を下降するときに、接触検知センサと散乱光または透過光の測定部を併用して自動位置調整を行う適用例について説明する。
【０１３０】
最初に、予め備えられた基準物体、または反応容器（血液凝固分析用）２８の底面など、分注時の血液凝固試薬分注プローブ３０５の高さの基準とすることができる物体の上に、血液凝固試薬分注プローブ３０５を水平移動する。
【０１３１】
次に、血液凝固試薬分注プローブ３０５を設計上の基準高さ(ホーム位置)から垂直に動かし、徐々に基準面へ近づけ、接触検知センサにより接触を検知する。このときの基準高さから接触を検知するまでの移動量と、予め記憶してある機構設計上の基準高さから基準面までの移動量の差分を調整値としてメモリ１０４に格納する。以後のオペレーションでは機構設計上の移動量に差分を加えて補正することにより、反応ポート３０４および反応容器（血液凝固分析用）２８に対して正確な分注プローブの高さ位置における分注を実行することができる。なお、水平方向の調整は、第１〜７の実施の形態にて上述した手法と同様に行う。
【０１３２】
本構成は、図１に示した反応容器（生化学分析用）２６上における、生化学分析用の試薬分注プローブ１４、１７の自動位置調整にも適用することができる。このような構成により、特に複数の測定部および反応容器を備える生化学自動分析装置において、反応容器底面に試薬分注プローブを接触させる分注方法と、接触させない分注方法とを使い分ける場合には、接触の度に調整値を補正でき、常に試薬分注プローブの分注高さの位置を高い精度で一定に保つことができる。
【第９の実施の形態】
【０１３３】
本実施の形態では、上述の第１〜８の実施の形態において、分注プローブの自動位置調整時に異常を検知して操作者に知らせる機能を適用した例について説明する。
【０１３４】
まず、分注プローブ交換時とそれ以外で自動調整を行うメンテナンスメニューを独立させる。
【０１３５】
分注プローブ交換時の自動調整においては、光源３０２が反応ポート３０４の下方にある散乱光の測定部の場合、まず第５の実施の形態にて上述した手法による大まかな位置合わせを行う段階において、予め設定された規定の範囲に調整値が入らない場合に、分注プローブに曲がり等の異常があるものとしてアラートを発し、分析開始を禁止するなどの方法でオペレーションを制限して操作者に異常を知らせる。
【０１３６】
次に、第１〜３の実施の形態において説明したように、分注プローブを反応ポート３０４または反応容器に差し込んで調整する際、上記と同様に予め設定された規定の範囲に調整値が入らない場合に、分注プローブに曲がり等の異常があるものとしてアラートを発し、分析開始を禁止するなどの方法でオペレーションを制限して操作者に異常を知らせる。
【０１３７】
さらに、第４の実施の形態において上述した複数回の調整を繰り返し行う場合において、予め設定された回数以上に調整を繰り返しても調整値が収束しない場合、取り付けにがたつきなどの異常があるものとしてアラートを発し、分析開始を禁止するなどの方法でオペレーションを制限して操作者に異常を知らせる。調整が成功した場合は、同じ分注プローブでの初期位置として調整値をメモリ１０４に格納する。
【０１３８】
分注プローブ交換時以外の点検・調整においては、光源３０２が反応ポート３０４の下方にある散乱光の測定部の場合、分注プローブ交換時と同様に、まず第５の実施の形態にて上述した手法により大まかな位置合わせを行う段階において、予め設定された規定の範囲に調整値が入らない場合に、分注プローブに曲がり等の異常があるものとしてアラートを発し、分析開始を禁止するなどの方法でオペレーションを制限して操作者に異常を知らせる。
【０１３９】
次に、第１〜３の実施の形態において説明したように、分注プローブを反応ポート３０４または反応容器に差し込んで調整する場合に、調整後の調整値が同分注プローブでの初期位置として格納された調整値から、予め設定された調整範囲(曲がりの許容量)に入らない場合、許容できない分注プローブの曲がり等の異常があるものとしてアラートを発し、分析開始を禁止するなどの方法でオペレーションを制限して操作者に異常を知らせる。
【０１４０】
さらに、第４の実施の形態において上述した複数回の調整を繰り返し行う場合において、予め設定された回数以上に調整を繰り返しても調整値が収束しない場合、取り付けにがたつきなどの異常が発生したと判定してアラートを発し、分析開始を禁止するなどの方法でオペレーションを制限して操作者に異常を知らせる。
【０１４１】
また、いずれの調整の場合も分注プローブを反応ポート３０４または反応容器に差し込む調整において光量ピークが得られない場合、分注プローブが光源の照射範囲および検出器の検出範囲に入ってないと判定してアラートを発し、操作者に手動による調整を促すとともに、分析開始を禁止するなどの方法でオペレーションを制限して分析結果の異常を防止する。  上述した全ての実施の形態は、血液凝固分析装置に限定されるものではなく、分注プローブと反応ポートまたは反応容器を備え、散乱光または透過光の測定を行う種々の分析装置において、同様の手法により自動位置調整を実行することができる。
【０１４２】
上述した実施の形態によれば、複雑な構成を要することなく、かつ分注プローブにダメージを与えずに分注プローブの位置ずれを防ぎ、微量な測定対象に対しても高精度な分析を実現することができる。
【符号の説明】
【０１４３】
１・・・自動分析装置
２・・・血液凝固時間分析ユニット
１１・・・サンプルディスク
１２・・・サンプル分注プローブ
１３・・・反応ディスク
１４・・・第２試薬分注プローブ
１５・・・第１試薬ディスク
１６・・・第２試薬ディスク
１７・・・第１試薬分注プローブ
１８・・・サンプル分注ポジション
１９・・・光度計
２０・・・血液凝固試薬分注プローブ
２１・・・血液凝固時間検出部
２２・・・光学ジグマガジン
２３・・・反応容器移送機構
２４・・・反応容器廃棄口
２５・・・使い捨て反応容器マガジン
２６・・・反応容器（生化学分析用）
２７・・・サンプル容器
２８・・・反応容器（血液凝固分析用）
１０１・・・インターフェース
１０２・・・外部出力メディア
１０３・・・表示装置
１０４・・・メモリ
１０５・・・コンピュータ
１０６・・・プリンタ
１０７・・・入力装置
２０１・・・サンプル分注制御部
２０２・・・移送機構制御部
２０３・・・Ａ／Ｄ変換器（２）
２０４・・・血液凝固試薬分注制御部
２０５・・・Ａ／Ｄ変換器（１）
２０６・・・試薬分注制御部（１）
２０７・・・試薬分注制御部（２）
３０１・・・反応ブロック
３０２・・・光源
３０３・・・検出器
３０４・・・反応ポート
３０５・・・血液凝固試薬分注プローブ
３０６・・・反射板
３０７・・・スリット
３０８・・・光学ジグ
【図１】
2017043192.tif 000003
【図２】
2017043192.tif 000004
【図３】
2017043192.tif 000005
【図４】
2017043192.tif 000006
【図５】
2017043192.tif 000007
【図６】
2017043192.tif 000008
【図７】
2017043192.tif 000009
【図８】
2017043192.tif 000010
【図９】
2017043192.tif 000011
【図１０】
2017043192.tif 000012
【図１１】
2017043192.tif 000013
【図１２】
2017043192.tif 000014
【図１３】
2017043192.tif 000015
【図１４】
2017043192.tif 000016
【図１５（ａ）】
2017043192.tif 000017
【図１５（ｂ）】
2017043192.tif 000018
【図１６】
2017043192.tif 000019
【図１７】
2017043192.tif 000020
【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
サンプルと試薬との混合液を収容できる反応容器と、
該反応容器に、前記サンプル、前記試薬を分注する分注機構と、
該混合液が収容された反応容器を保持する保持部と、該保持部に保持された反応容器に光を照射する光源と、当該光源から照射された光を検出する検出部と、からなる光学系を備え、前記サンプルを分析する分析ユニットと、
前記分析ユニットにおける前記検出部によって検出される光に基づく情報を記憶する記憶部と、
当該分注機構の分注動作を制御する制御部と、を備え、
当該サンプルの分析時に、前記分析ユニットにおける前記検出部は、前記分析ユニットにおける前記光源から前記反応容器に照射される光に基づく散乱光を検出し、
前記制御部は、
当該保持部に保持される反応容器における分注位置に対して前記分注機構を移動し、
当該分注機構が移動している間、前記分析ユニットにおける前記検出部は、前記分析ユニットにおける前記光源から前記分注機構に照射される光に基づく反射光を検出し、
当該検出された反射光と、当該分注機構の位置との関係を前記記憶部に記憶し、当該記憶される関係に基づいて、前記分注機構の位置を調整するように、前記分注機構を制御することを特徴とする自動分析装置。
【請求項２】
請求項１に記載された自動分析装置において、
前記制御部は、
前記記憶部に記憶される、前記分析ユニットにおける前記検出部によって検出された反射光と、前記分注機構の位置との関係に基づいて、
当該分注機構が移動している間に検出される反射光の量が最も大きくなるときの前記分注機構の位置を基準位置として前記記憶部に記憶し、
当該記憶された基準位置に基づいて、前記分注機構の位置を調整するように、前記分注機構を制御することを特徴とする自動分析装置。
【請求項３】
請求項２に記載された自動分析装置において、
前記分析ユニットにおける前記光源は、前記保持部の下方から光を照射するように配置され、
前記分析ユニットにおける前記検出部は、当該分注機構が移動している間、前記保持部の側面において、前記分析ユニットにおける前記光源から前記分注機構に照射される光に基づく反射光を検出するように配置されていることを特徴とする自動分析装置。
【請求項４】
請求項２に記載された自動分析装置において、
前記分析ユニットにおける前記検出部は、前記分析ユニットにおける前記光源によって照射される光の光軸に対して垂直となるように配置されていることを特徴とする自動分析装置。
【請求項５】
（削除）
【請求項６】
請求項１に記載された自動分析装置において、
前記制御部は、
当該分注機構が、前記保持部に対する高さを変えるように移動している間、前記分析ユニットにおける前記光源から前記分注機構に照射された光に基づく反射光を前記分析ユニットにおける前記検出部により検出し、当該検出された反射光の強度と、当該分注機構の高さとの関係を前記記憶部に記憶し、
当該記憶された関係に基づいて、前記分注機構の高さを調整するように前記分注機構を制御したのちに、
当該分注機構が、当該調整された高さにおける、前記保持部に対する位置を変えるように移動している間、前記分析ユニットにおける前記光源から前記分注機構に照射された光に基づく反射光を前記分析ユニットにおける前記検出部により検出し、当該検出された反射光の強度と、当該分注機構の前記高さにおける位置との関係を前記記憶部に記憶し、
当該記憶された関係に基づいて、前記分注機構の前記高さにおける位置を調整するように前記分注機構を制御することを特徴とする自動分析装置。
【請求項７】
請求項１に記載された自動分析装置において、
前記制御部は、
当該記憶部に記載される関係に基づいて、前記分注機構の位置に関する調整値を求め、
当該保持部に保持される反応容器における分注位置に対する分注機構の移動、及び、当該分注機構が移動している間に前記分析ユニットにおける前記検出部に検出された反射光と当該分注機構の位置との関係の前記記憶部への記憶を、
当該調整値が同じ値となるまで複数回繰り返すことを特徴とする自動分析装置。
【請求項８】
請求項１に記載された自動分析装置において、
前記分注機構は、前記分析ユニットにおける前記光源から照射された光を反射する材料からなる反射材を備え、
前記分析ユニットにおける前記検出部は、前記分析ユニットにおける前記光源から照射され、前記反射材によって反射された光を検出することを特徴とする自動分析装置。
【請求項９】
請求項８に記載された自動分析装置において、
前記保持部には、固体散乱体または光を散乱する液体を収容する反応容器が設置され、
前記制御部は、
当該分注機構が移動している間、前記分析ユニットにおける前記光源から照射され、前記反射材によって反射された光を前記分析ユニットにおける前記検出部により検出し、
当該検出された光と、当該分注機構の位置との関係を前記記憶部に記憶し、当該記憶される関係に基づいて、前記分注機構の位置を調整するように、前記分注機構を制御することを特徴とする自動分析装置。
【請求項１０】
請求項８に記載された自動分析装置において、
前記保持部には、固体散乱体または光を散乱する液体を収容する反応容器が設置され、
前記分析ユニットにおける前記検出部は、前記分析ユニットにおける前記光源から照射され、前記反射材によって反射された光が、当該保持部に設置された固体散乱体または当該反応容器に収容される液体によって散乱することによって生じた光を検出することを特徴とする自動分析装置。
【請求項１１】
請求項１０に記載された自動分析装置において、
前記制御部は、
前記分注機構が移動している間、前記分析ユニットにおける前記光源から照射され、前記反射材によって反射された光が、当該保持部に保持された固体散乱体または当該反応容器に収容される液体によって散乱することによって生じた光を前記分析ユニットにおける前記検出部により検出し、
当該検出された光と、当該分注機構の位置との関係を前記記憶部に記憶し、当該記憶される関係に基づいて、前記分注機構の位置を調整するように、前記分注機構を制御することを特徴とする自動分析装置。
【請求項１２】
請求項１に記載された自動分析装置において、
さらに、前記分注機構との接触により前記分注機構を検知するセンサを備え、
前記センサによって検知された情報と、
当該記憶される関係と、に基づいて、前記分注機構の位置を調整するように、前記分注機構を制御することを特徴とする自動分析装置。
【請求項１３】
請求項１２に記載された自動分析装置において、
前記制御部は、
当該分注機構が、前記保持部に対する高さを変えるように移動している間、前記分析ユニットにおける前記光源から前記分注機構に照射された光に基づく反射光を前記分析ユニットにおける前記検出部により検出し、当該検出された光の強度と、当該分注機構の高さとの関係を前記記憶部に記憶し、
当該記憶された関係と、前記センサによって検知された情報と、に基づいて、前記分注機構の高さを調整するように前記分注機構を制御したのちに、
当該調整された高さにおける、当該分注機構の前記保持部に対する位置を変えるように移動している間、前記分析ユニットにおける前記光源から照射された光を前記分析ユニットにおける前記検出部により検出し、当該検出された光の強度と、当該分注機構の前記高さにおける位置との関係を前記記憶部に記憶し、
当該記憶された関係に基づいて、前記分注機構の前記高さにおける位置を調整するように前記分注機構を制御することを特徴とする自動分析装置。
【請求項１４】
サンプルと試薬との混合液を収容できる反応容器と、
該反応容器に、前記サンプル、前記試薬を分注する分注機構と、
該混合液が収容された反応容器を保持する保持部と、該保持部に保持された反応容器に光を照射する光源と、当該光源から照射された光を検出する検出部と、からなる光学系を備え、前記サンプルを分析する分析ユニットと、
前記分析ユニットにおける前記検出部によって検出される光に基づく情報を記憶する記憶部と、
当該分注機構の分注動作を制御する制御部と、を備えた自動分析装置の分析方法であって、
当該サンプルの分析時に、前記分析ユニットにおける前記検出部は、前記分析ユニットにおける前記光源から前記反応容器に照射される光に基づく散乱光を検出し、
前記制御部は、
当該保持部に保持される反応容器における分注位置に対して前記分注機構を移動し、
当該分注機構が移動している間、前記分析ユニットにおける前記検出部は、前記分析ユニットにおける前記光源から前記分注機構に照射される光に基づく反射光を検出し、
当該検出された反射光と、当該分注機構の位置との関係を前記記憶部に記憶し、当該記憶される関係に基づいて、前記分注機構の位置を調整するように、前記分注機構を制御することを特徴とする分析方法。
【請求項１５】
サンプルと試薬との混合液を収容できる反応容器と、
該反応容器に、前記サンプル、前記試薬を分注する分注機構と、
該混合液が収容された反応容器を保持する保持部と、該保持部に保持された反応容器に光を照射する光源と、当該光源から照射された光を検出する検出部と、からなる光学系を備え、前記サンプルを分析する分析装置と、
前記分析装置における前記検出部によって検出される光に基づく情報を記憶する記憶部を備え、当該分注機構の分注動作を制御する制御装置と、を備え、
当該サンプルの分析時に、前記分析装置における前記検出部は、前記分析装置における光源から前記反応容器に照射される光に基づく散乱光を検出し、
前記制御装置は、
当該保持部に保持される反応容器における分注位置に対して前記分注機構を移動し、
当該分注機構が移動している間、前記分析装置における前記検出部は、前記分析装置における前記光源から前記分注機構に照射される光に基づく反射光を検出し、
当該検出された反射光と、当該分注機構の位置との関係を前記記憶部に記憶し、当該記憶される関係に基づいて、前記分注機構の位置を調整するように、前記分注機構を制御することを特徴とする自動分析システム。
【国際調査報告】
2017043192.tif 000021
2017043192.tif 000022
2017043192.tif 000023
2017043192.tif 000024